(57)【要約】【課題】            作業者にかかる負担、特に手や腕などの負担を大幅に軽減でき、作業時間も短縮でき作業効率も向上する長尺部材の錆や汚れおよび付着固化したコンクリート等を除去、研磨する研掃装置を提供する。【解決手段】        機台上に、モータに連結されて回転する回転式ブラシが対向して進退可能に設けられ、  この対向する回転式ブラシの中間位置を横切る延長線上に位置し、長尺部材を支承する支承部材が設けられ、  この支承部材に支承した長尺部材を移動させつつ表面を回転式ブラシにおいて研掃する。【選択図】          図２
0003134470.tif 000002
【実用新案登録請求の範囲】
【請求項１】
機台上に、モータに連結されて回転する回転式ブラシが対向して進退可能に設けられ、
この対向する回転式ブラシの中間位置を横切る延長線上に位置し、長尺部材を支承する支承部材が設けられ、
この支承部材に支承した長尺部材を移動させつつ表面を回転式ブラシにおいて研掃することを特徴とする長尺部材の研掃装置。
【請求項２】
前記モータに連結されて回転する回転式ブラシは、機台に設けられた螺軸に螺合し、該螺軸の正逆の回動で対峙して進退する支柱部材に設けられ、該対峙して進退する支柱部材で対向して進退可能となっていることを特徴とする請求項１記載の長尺部材の研掃装置。
【請求項３】
前記モータに連結されて回転する回転式ブラシおよび長尺部材を支承する支承部材は、長尺部材を挿通する挿通口を備えるケースにおいて被覆されていることを特徴とする請求項１または２記載の長尺部材の研掃装置。
【請求項４】
前記ケースは、上部が開口され、該開口に蓋体が開閉可能に設けられていることを特徴とする請求項３記載の長尺部材の研掃装置。
【請求項５】
前記モータに連結されて回転する回転式ブラシの下方には、回転式ブラシで長尺部材を研掃して除去した除去物を集めて案内するシュートが設けられていることを特徴とする請求項１乃至３のいずれかに記載の長尺部材の研掃装置。
【請求項６】
前記支承部材は、機台に着脱自在に設けられ、長尺部材に対応して取り換え可能となっていることを特徴とする請求項１乃至３のいずれかに記載の長尺部材の研掃装置。
【考案の詳細な説明】
【技術分野】
【０００１】
この考案は、鉄筋、足場用パイプ、水道管および型鋼などの長尺部材の錆、汚れ、付着固化したコンクリートおよび塗料などを除去、研磨する研掃装置に関する。
【背景技術】
【０００２】
従来、鉄筋、足場用パイプ、水道管および型鋼などの長尺部材（以下、単に長尺部材という。）の錆、汚れ等は、ベビーサンダーなどにカップブラシを取り付け、これを手に持って除去したり、金ブラシなどを手に持って擦りながら除去していた。
しかし、これらの除去方法では、人の体にかかる負担、特に手や腕などにかかる負担が大きいばかりでなく、錆や汚れを除去する時間もかかり作業能率が悪い課題がある。
【０００３】
そこで、従来、このような課題を解決するものとして、二つの分割部材からなり、該分割部材が開閉可能で、細長い物体が通るための貫通孔が設けられた容器内に、ブラシ保持部材に回転可能に支持されたブラシが設けられた清掃装置（特許文献１参照）、およびらせん状筒型あるいはＣ型状筒型の内側（内面）にブラシを設けた筒型ブラシ（特許文献２参照）が提供されている。
【特許文献１】特開平１１−１１４５１４号公報
【特許文献２】特開２００３−７０５４５号公報
【考案の開示】
【考案が解決しようとする課題】
【０００４】
前記清掃装置は、二つの部材を開いた状態で、細長い物体を貫通孔にそって配置して分割部材を閉じ、清掃装置を細長い物体にそって移動するか、清掃装置を固定して細長い物体を移動させると、ブラシが細長い物体と接触摩擦して回転し、物体の表面を清掃するものであり、使用する対象物によっては好ましい装置である。
しかしながら、これはブラシが細長い物体と接触摩擦で回転するものであるので、細長い物体の、単に表面の汚れやゴミを清掃するには適しているが、付着固化したコンクリートおよび塗料等を研掃することはできないし、この考案が対象とする鉄筋、金属製のパイプおよび型鋼などの重量のある長尺部材に適用することも不向きである課題がある。
また、筒型ブラシは、手で回転させたり、上下させて付着した汚れを掃除するものであるので、手に負担がかかるし、作業効率も悪い課題がある。
【０００５】
この考案は、このような課題を解決せんと提案されたものであり、その目的は、作業者にかかる負担、特に手や腕などの負担を大幅に軽減でき、作業時間も短縮でき作業効率も向上する長尺部材の錆や汚れおよび付着固化したコンクリート等を除去、研磨する研掃装置の提供にある。
【課題を解決するための手段】
【０００６】
前記目的を達成するため、この考案の長尺部材の研掃装置は、機台上に、モータに連結されて回転する回転式ブラシが対向して進退可能に設けられ、
この対向する回転式ブラシの中間位置を横切る延長線上に位置し、長尺部材を支承する支承部材が設けられ、
この支承部材に支承した長尺部材を移動させつつ表面を回転式ブラシにおいて研掃することを特徴とする。
【０００７】
この構成により、支承部材は対向する回転式ブラシの中間位置を横切る延長線上に設けられているので、長尺部材を支承部材に支承させてセットすると、長尺部材は対向する回転式ブラシの間に位置する。対向する回転式ブラシは、対向して進退可能（接離可能）なので、長尺部材をセットするときは互いに後退（離間）してセットし、研掃時は互いに前進させ間隔を縮めセットした長尺部材に接触させることができる。従って、回転式ブラシを離間させ、支承部材に支承させてセットさせた長尺部材は、対向する回転式ブラシの中間に位置するので、そこで対向する回転式ブラシを互いに接近させると回転式ブラシはセットした長尺部材に接触する。従って、モータで回転する回転式ブラシにより長尺部材表面の錆、汚れ、付着固化したコンクリート、塗料、等は除去され、研掃される。この時、長尺部材は、支承部材に支承して移動するので、作業者への負担は軽減されるし、作業効率も向上する。特に、長尺部材を駆動源で駆動させる移動手段で自動的に移動させるようにすれば、作業者への負担は一層軽減されるし、作業効率も一層向上する。
【０００８】
また、この考案の長尺部材の研掃装置の前記モータに連結されて回転する回転式ブラシは、機台に設けられた螺軸に螺合し、該螺軸の正逆の回動で対峙して進退する支柱部材に設けられ、該対峙して進退する支柱部材で対向して進退（接離）可能となっていることを特徴とする。
この構成により対向する回転式ブラシは、螺軸をハンドルで又はモータで、正逆に回動することによって、進退（接離）可能となる。
【０００９】
また、この考案の長尺部材の研掃装置の前記モータに連結されて回転する回転式ブラシおよび長尺部材を支承する支承部材は、長尺部材を挿通する挿通口を備えるケースにおいて被覆されていることを特徴とする。
この構成により、研掃作業中に長尺部材から除去した錆、汚れ、付着固化したコンクリート、塗料および塵埃、等が外部に飛散するのを防止でき、これにより作業者や近隣者を保護できるし、環境汚染も防止できる。
【００１０】
また、この考案の長尺部材の研掃装置の前記ケースは、上部が開口され、該開口に蓋体が開閉可能に設けられていることを特徴とする。
この構成によりケースは、上部開口を開閉できるので、回転式ブラシの取り換え作業や支承部材の取り換え作業およびメンテナンス作業を容易に行うことができる。
【００１１】
また、この考案の長尺部材の研掃装置の前記モータに連結されて回転する回転式ブラシの下方には、回転式ブラシで長尺部材を研掃して除去した除去物を集めて案内するシュートが設けられていることを特徴とする。
この構成により、回転式ブラシで長尺部材の表面を研掃して除去した除去物は、散乱させることなく集めて容器、袋等に収納して処分することができる。これにより環境汚染も防止でき公害問題も生じない。
【００１２】
さらに、この考案の長尺部材の研掃装置の前記支承部材は、機台に着脱自在に設けられ、長尺部材に対応して取り換え可能となっていることを特徴とする。
この構成により、支承部材は取り換えることが容易にできるので、長尺部材によって最適な支承部材に取り換えることができる。例えば、長材部材が鉄筋と形鋼では、径や形状および重量に大きな差異があるのに、同じ支承部材では使い勝手が悪くなり、作業性も低下するが、それに合った支承部材に取り換えることによってこのような課題は解決できることになる。
【考案の効果】
【００１３】
この考案の長尺部材の研掃装置によれば、次のような効果を奏する。
（１）鉄筋、足場用パイプ、水道管および型鋼などの長尺部材の錆、汚れ、付着固化したコンクリートおよび塗料などを、容易に除去、研磨することができる。
（２）長尺部材の錆、汚れ、付着固化したコンクリートおよび塗料などは、長尺部材を支承部材に載置し、移動（前後進及び回転）させるだけで回転式ブラシにより自動的に除去、研磨することができる。
（３）従って、作業者にかかる負担、特に手や腕などの負担を大幅に軽減することができる。
（４）また、作業性も向上し作業時間も短縮できるし、作業効率も向上する。
（５）支承部材に載置した長尺部材の移動を、移動手段を用いて自動的に行うようにすると、作業者の負担は一層軽減するし、作業性も更に向上する。
【００１４】
（６）回転式ブラシおよび長尺部材を支承する支承部材は、ケースにおいて被覆されているので、研掃作業中に長尺部材から除去した錆、汚れ、付着固化したコンクリートおよび塵埃、等が周囲（外部）に飛散するのを防止でき、これにより作業者や近隣者を保護できるし、環境汚染も防止できる。
また、ケースが設けてあっても、ケースは長尺部材を挿通する挿通口を備えるので研掃作業に支障はない。
（７）さらに、ケースの上部開口は蓋体で開閉できるので、回転式ブラシの取り換え作業や支承部材の取り換え作業およびメンテナンス作業を容易に行うことできる。
【００１５】
（８）回転式ブラシの下方には、回転式ブラシで長尺部材の表面を研掃して除去した除去物を集めて案内するシュートが設けられているので、回転式ブラシで長尺部材の表面を研掃して除去した除去物は、散乱させることなく集めて容器、袋などに収納して処分することができる。従って、環境汚染も防止でき公害問題も生じない。
（９）支承部材は、長尺部材によって最適なものに取り換えることができるので、使い勝手をよくし作業性の向上をさせることができる。
【考案を実施するための最良の形態】
【００１６】
以下、この考案の実施の形態を図面と共に詳細に説明する。図１は、この考案の実施の形態に係る長尺部材の研掃装置を示す斜視図、図２は、この考案の実施の形態に係る長尺部材の研掃装置を示す開蓋状態の斜視図、図３は、この考案の実施の形態に係る長尺部材の研掃装置の要部を示す分解斜視図、図４は、この考案の実施の形態に係る長尺部材の研掃装置の回転式ブラシの進退機構部分を示す斜視図、図５は、この考案の実施の形態に係る長尺部材の研掃装置の断面図である。
【００１７】
長尺部材の研掃装置は、機台１上に、モータ３に連結されて回転する回転式ブラシ２ａ、２ｂが対向して進退可能に設けられ、この対向する回転式ブラシ２ａ、２ｂの中間位置を横切る延長線上に位置し、長尺部材Ｔを支承する支承部材４、４が設けられ、この支承部材４、４に支承した長尺部材Ｔを移動（前・後進および回転）させつつ表面を回転式ブラシ２ａ、２ｂにおいて研掃する構成となっている。
【００１８】
機台１には図１および図２に示すように支脚５が設けられ、所定の高さに支持されている。これにより長尺部材Ｔの研掃作業を、作業者が立って容易に行える高さとすることができる。この機台１上には、２本の支柱部材６ａ、６ｂが対峙して立設され、回転式ブラシ２ａ、２ｂおよびモータ３は、この支柱部材６ａ、６ｂに設けられている。回転式ブラシ２ａ、２ｂは、支柱部材６ａ、６ｂに固設されたモータ３に連結されて回転駆動される。
【００１９】
前記機台１には、図４および図５に示すように螺軸７が軸受部材１１に支承されて回転自在に設けられ、本例では、螺軸７の一端にはハンドル８が設けられ、回転駆動できるようになっている。この螺軸７のネジの巻き方向は、図５に示すように中間より一方側７ａと他方側７ｂとは、逆方向となっている。この螺軸７の７ａと７ｂの部分には、移動子９ａ、９ｂが螺合して設けられている。従って、螺軸７を正逆に回動すると、移動子９ａ、９ｂは移動するが、その移動子９ａ、９ｂの移動は互いに逆方向となる、即ち、例えば、螺軸７の正方向の回動では、移動子９ａ、９ｂは、互いに接近（前進）する移動となり、逆方向の回動では互いに離間（後退）する移動となる。この移動子９ａ、９ｂには移動テーブル１０ａ、１０ｂが固設されている。従って、移動テーブル１０ａ、１０ｂも移動子と一緒に移動する。前記支柱部材６ａ、６ｂは、この移動テーブル１０ａ、１０ｂに固定して立設されている。従って、この支柱部材６ａ、６ｂも移動子と一緒に移動する。さらに、この支柱部材６ａ、６ｂには、モータ３に連結されて回転する回転式ブラシ２ａ、２ｂが対向して設けられているので、結局は、螺軸７の正逆の回動で回転式ブラシ２ａ、２ｂは、対向して互いに接近したり、互いに離間する移動をする。なお、この螺軸７の回動は、モータで行ってもよい。
【００２０】
この回転式ブラシ２ａ、２ｂは、正面同士が全面で対向して設け、互いに接近したときに長尺部材Ｔが回転式ブラシ２ａ、２ｂの略中央を横切る格好で接触するようにしても、また、図面に示すように互いを斜めに対向して設け、長尺部材Ｔに回転式ブラシ２ａ、２ｂの外周近くで接触して回転するようにしてもよく、このような設定は任意である。
なお、この回転式ブラシ２ａ、２ｂは、図３に示すようにモータ３に伝導機構を介して連結する回転軸１３に着脱自在とすると、摩耗したときや、長尺部材および除去するものによって取り換えることができるので好ましい。本例では、図３に示すように回転軸１３にナット１４で着脱可能となっている。
【００２１】
前記支承部材４は、前記対向する回転式ブラシ２ａ、２ｂの中間位置を横切る延長線上に位置して設けられる。本例では前後に位置して２個が設けられている。この支承部材４は、機台１に立設された支持部材１２に着脱可能に取り付けられている。本例では、図３に示すように支持部材１２が、中空部材で構成され、支承部材４はこの支持部材１２の中空部に挿入して取り付けられて着脱自在となっている。
支承部材４は、これに長尺部材Ｔを載置して研掃作業を行うものであるので、支承部材４は、Ｕ字状の支承部４ａで構成されており、長尺部材Ｔは、ここに載置してセットし作業できるようになっている。表面を研掃する長尺部材Ｔは、鉄筋、足場用パイプ、水道管および型鋼、などのように径や形状を異にして種々が存在するので、支承部材４は支承部４ａが対象とする長尺部材Ｔ毎に適合する形状としたものを用意する。これによって長尺部材Ｔによって最適の支承部材４に取り換えて使用することが可能となる。図３では、３種類の支承部材４を例示している。
【００２２】
また、前記モータ３に連結されて回転する回転式ブラシ２ａ、２ｂおよび長尺部材Ｔを支承する支承部材４の部分は、長尺部材Ｔを挿通する挿通口１７を備えるケース１５において包囲（被覆）されている。このケース１５は機台１上に設置されている。
このケース１５は、研掃作業中に長尺部材から除去した錆、汚れ、付着固化したコンクリート、塗料および塵埃、等が外部に飛散するのを防止するものである。なお、ケース１５で包囲されていても挿通口１７を備えるので長尺部材Ｔは、この挿通口１７より挿通して研掃作業を行うことできる。
このケース１５は、図１および図２に示すように上方が開口１５ａし、この開口１５ａに蓋体１６が開閉可能に設けられていると、蓋体１６を開放し回転式ブラシ２ａ、２ｂの取り換え作業、支承部材４の取り換え作業およびメンテナンス作業を行うことができるので好ましい。当然に研掃作業時には、蓋体１６は密閉しておく。本例では、挿通口１７は蓋体１６に設けた場合を示しているが、これは適宜である。例えば、ケース１５の開口１５ａの周縁の一部に半円状の切欠を設け、この切欠に対応する蓋体１６の周縁の一部に半円状の切欠を設け、蓋体１６を閉じた時に両方の切欠で挿通口を形成するようにしてもよい。この構成によれば蓋体１６を閉じたままで挿通口１７から長尺部材Ｔを挿通してセットできると共に、蓋を開いた状態でセットすることもできる利点がある。従って、型鋼のような重量があり、挿通口１７から挿通してセットするのが難しい長尺部材Ｔのセットには好ましい。即ち、蓋体１６を開いて長尺部材Ｔを支承部材４、４に載置した後に蓋体１６を閉じてセットできるので、挿通口１７から挿通してセットしなくても済む。
また、ケース１５の少なくとも蓋体１６は、透明または半透明のプラスチック部材で構成すると、作業中に研掃状況が視認できるので好ましい。
なお、本例では回転式ブラシ２ａ、２ｂおよび支承部材４の部分も含めケース１５で包囲するようにしたが、ケース１５は研掃作業時に除去物や塵埃が飛散するのを防止するものであり、除去物や塵埃は回転式ブラシ２ａ、２ｂの部分から発生するので、ケース１５は少なくとも回転式ブラシ２ａ、２ｂの部分を包囲するものであればよい。
【００２３】
さらに、モータ３に連結されて回転する回転式ブラシ２ａ、２ｂの下方には、図１、図２および図５に示すように機台１に設けられて下方に向けて錐型に縮小するシュート１８が設けられ、シュート１８の下端が排出口１９となっている。
これにより回転式ブラシ２ａ、２ｂで長尺部材Ｔの表面を研掃して除去した除去物は、シュート１８に集めて排出口１９にガイドすることができ、この排出口１９に容器や袋（図示省略）を設置することで、これに集めて収容することができる。従って、回転式ブラシ２ａ、２ｂで長尺部材Ｔの表面を研掃して除去した除去物は、散乱させることなく集めて処分することができる。また、周囲に散乱しないので衛生的であるし、環境汚染も防止できる。
【００２４】
しかして、この実施の形態に係る長尺部材の研掃装置によれば、まず、ハンドル８で螺軸７を回動させて対向する回転式ブラシ２ａ、２ｂを互いに後退させて離間させ、長尺部材Ｔを挿通口１７より挿入して支承部材４、４に載置してセットする。そこでハンドル８で螺軸７を逆方向に回動させると対向する回転式ブラシ２ａ、２ｂは、互いに進出して接近してセットした長尺部材Ｔに接触するようになる。そこで回転式ブラシ２ａ、２ｂの位置を止めて、モータ３により回転式ブラシ２ａ、２ｂを回転すると、長尺部材Ｔの表面の錆、汚れ、付着固化したコンクリートおよび塗料、などは除去、研磨されるので、長尺部材Ｔを順次回転させつつ前進（除去残りがあった時は後退させてもよい。）させると、長尺部材Ｔの全長の全表面の錆、汚れ、付着固化したコンクリートおよび塗料、等は除去される。以下、長尺部材Ｔ毎に同様の作業を繰り返せばよい。。
【００２５】
この時、図１に示すように作業者が長尺部材Ｔを手に持って回転と前進・後退を行っても、長尺部材Ｔは支承部材４に支承されているので、作業者の手や腕にかかる負担は大幅に軽減でき、容易に作業することができる。
この長尺部材Ｔの回転や前進・後退は、作業者ではなく、モータ等で駆動する回転・移動手段で行ってもよい、この場合は、作業者への負担は一層軽減される。
この回転・移動手段としては、レールに移動子（摺動部材）を前後移動可能に設け、この移動子に、モータに連結するスピンドルに設けたチャックを搭載し、長尺部材をチャックで把持し、モータでスピンドルを回転させることで長尺部材に回転を付与し、移動子を移動させることで長尺部材を前進・後退させる構成を例示することができる。この時の移動子の移動は、シリンダの伸縮や懸回したチェーンの回動で行うことができる。
なお、この実施の形態では、回転式ブラシ２ａ、２ｂの駆動・停止および進退の移動を、図１に示すようにペタル式のスイッチ２０によれば、足で操作することができるので長尺部材Ｔを手に持っていても操作可能となり望ましい。
【００２６】
なお、前記実施の形態は、この考案を制限するものではなく、この考案は要旨を逸脱しない範囲において、種々の変形が許容される。
【産業上の利用可能性】
【００２７】
この考案は、鉄筋、足場用パイプ、水道管および型鋼だけでなく、他の長尺部材の表面の錆、汚れをはじめとする被除去物を除去するのに適用可能である。
【図面の簡単な説明】
【００２８】
【図１】この考案の実施の形態に係る長尺部材の研掃装置を示す斜視図である。
【図２】この考案の実施の形態に係る長尺部材の研掃装置を示す開蓋状態の斜視図である。
【図３】この考案の実施の形態に係る長尺部材の研掃装置の要部を示す分解斜視図である。
【図４】この考案の実施の形態に係る長尺部材の研掃装置の回転式ブラシの進退機構部分を示す斜視図である。
【図５】この考案の実施の形態に係る長尺部材の研掃装置の断面図である。
【符号の説明】
【００２９】
１  機台
２ａ、２ｂ  回転式ブラシ
３  モータ
４  支承部材
６ａ、６ｂ  支柱部材
７  螺軸
８  ハンドル
９ａ、９ｂ  移動子
１０ａ、１０ｂ  移動テーブル
１２  支持部材
１３  回転軸
１４  ナット
１５  ケース
１６  蓋体
１７  挿通口
１８  シュート
【図１】
0003134470.tif 000003
【図２】
0003134470.tif 000004
【図３】
0003134470.tif 000005
【図４】
0003134470.tif 000006
【図５】
0003134470.tif 000007